(57)【要約】【課題】  データを記録する領域を制限することなく、かつ光情報記録媒体を反転させることなくレーベル面側から視認可能な描画を行うことが可能な光情報記録媒体を提供する。【解決手段】  第１の透光性基板１１の一方の面上に記録層１２と第１の半透過反射層１３とを有し、前記基板１１の他方の面側から前記記録層にレーザ光を照射することにより情報を記録可能な光情報記録媒体２０であって、前記第１の透光性基板の前記記録層と前記第１の半透過反射層とを有する側の面に貼り合わされた第２の透光性基板１４と、該第２の透光性基板１４上に形成された第２の半透過反射層１５と、該第２の半透過反射層１５上に形成された発熱層１７と、該発熱層１７上に形成された発色層１８と、を有する。このため、データを記録する領域を制限することなく、かつ光情報記録媒体を反転させることなくレーベル面側から視認可能な描画を行うことができる。【選択図】図１
2007335059.tif 000002
【特許請求の範囲】
【請求項１】
第１の透光性基板の一方の面上に記録層と第１の半透過反射層とを有し、前記基板の他方の面側から前記記録層にレーザ光を照射することにより情報を記録可能な光情報記録媒体において、
前記第１の透光性基板の前記記録層と前記第１の半透過反射層とを有する側の面に貼り合わされた第２の透光性基板と、該第２の透光性基板上に形成された第２の半透過反射層と、該第２の半透過反射層上に形成された発熱層と、該発熱層上に形成された発色層と、を有することを特徴とする光情報記録媒体。
【請求項２】
前記発色層の上に保護層が配設されていることを特徴とする請求項１に記載の光情報記録媒体。
【請求項３】
前記第２の透光性基板の前記第２の半透過反射層が形成される側の面にトラッキング用の螺旋状溝が形成されていることを特徴とする請求項１に記載の光情報記録媒体。
【請求項４】
前記第２の半透過反射層と前記発熱層との間に中間層が配設されていることを特徴とする請求項１に記載の光情報記録媒体。
【請求項５】
第１の透光性基板の一方の面上に該基板側から順に記録層と第１の半透過反射層とが形成され、さらに前記第１の透光性基板の前記記録層と前記第１の半透過反射層とを有する側の面に貼り合わされた第２の透光性基板を介して第２の半透過反射層と発熱層と発色層とが形成された光情報記録媒体に表示を施す方法であって、
データ記録時にレーザ光が照射される側と同じ側から前記第２の半透過反射層を介して前記発熱層にレーザ光を照射することを特徴とする光情報記録媒体の表示方法。
【請求項６】
前記記録層へのレーザ光照射と前記発熱層へのレーザ光照射とを同時に行うことを特徴とする請求項５に記載の光情報記録媒体の表示方法。
【発明の詳細な説明】
【技術分野】
【０００１】  本発明は、ディスク状の光情報記録媒体に関し、レーベル面側から視認可能な描画をレーザ光照射によって形成することができる光情報記録媒体、および光情報記録媒体への表示方法に関する。
【背景技術】
【０００２】  ＣＤ−Ｒ、ＤＶＤ±Ｒ、ブルーレイディスク等のディスク状の光情報記録媒体においては、透光性基板の一方の面上に記録層及び反射層を形成した構造を有し、前記基板の他方の面側からレーザ光が照射されて前記記録層にデータ記録されるように構成されている。また、前記光情報記録媒体のレーザ光が照射される面と反対側の面は、通常レーベル面として利用されており、その表面に文字、記号、図形、模様またはこれらの組合せ等が印刷等により表示される。【０００３】  このような光情報記録媒体として、前記表示をレーザ光照射により行うものが各種提案されている。
例えば特許文献１には、レーベル面１２５側にレーザ光照射によって描画が可能な領域（層）を形成したものが提案されている。具体的には図４に示されるように、透明な第１の基板１０３の一方の面に誘電体層１０５、記録層１０７、誘電層１０９、反射層１１１を順次成膜し、さらに反射層１１１の上に貼り合わせ接着層１１３によって第２の基板１１５を貼り合わせ、第２の基板１１５の表面には第２の反射層１１７、中間層１１９、可視光特性変化層１２１、保護層１２３が順次積層されている。上記記録層１０７へのデータの記録は第１の基板１０３の他方の面側からレーザ光を記録層１０７に照射することにより行われ、レーベル面１２５側の画像形成は、レーベル面１２５側からレーザ光を可視光特性変化層１２１に照射することにより行われる。
また特許文献２には、データを記録する領域の一部を文字や画像を描画する領域に割り当てるものが提案されている。【０００４】
【特許文献１】特開２００２−２０３３２１号公報
【特許文献２】特開２００３−０５１１１８号公報
【発明の開示】
【発明が解決しようとする課題】
【０００５】  しかしながら、上記前者の背景技術においては、描画領域がデータ記録面とは反対側になるので、描画するときには光情報記録媒体を裏返しする必要があった。また、後者の背景技術においては、データ記録領域の一部を描画に用いるため、データ記録と描画が干渉しないようにする必要があり、データ記録領域及び描画領域が制限されるという課題があった。【０００６】  本発明の目的は、上記課題を解決して、データを記録する領域を制限することなく、かつ光情報記録媒体を反転させることなくレーベル面側から視認可能な描画を行うことが可能な光情報記録媒体を提案するものである。
【課題を解決するための手段】
【０００７】  前記目的を達成するため、本発明の光情報記録媒体は、
（１）第１の透光性基板の一方の面上に記録層と第１の半透過反射層とを有し、前記基板の他方の面側から前記記録層にレーザ光を照射することにより情報を記録可能な光情報記録媒体において、
前記第１の透光性基板の前記記録層と前記第１の半透過反射層とを有する側の面に貼り合わされた第２の透光性基板と、該第２の透光性基板上に形成された第２の半透過反射層と、該第２の半透過反射層上に形成された発熱層と、該発熱層上に形成された発色層と、を有するものである。（・・・以下、本発明の第１の課題解決手段と称する。）【０００８】  また、上記光情報記録媒体の主要な形態の一つは、
（２）前記発色層の上に保護層が配設されているものである。（・・・以下、本発明の第２の課題解決手段と称する。）【０００９】  また、上記光情報記録媒体の他の主要な形態の一つは、
（３）前記第２の透光性基板の前記第２の半透過反射層が形成される側の面にトラッキング用の螺旋状溝が形成されているものである。（・・・以下、本発明の第３の課題解決手段と称する。）【００１０】  また、上記光情報記録媒体の他の主要な形態の一つは、
（４）前記第２の半透過反射層と前記発熱層との間に中間層が配設されているものである。（・・・以下、本発明の第４の課題解決手段と称する。）【００１１】  また、本発明の光情報記録媒体の表示方法は、
（５）第１の透光性基板の一方の面上に該基板側から順に記録層と第１の半透過反射層とが形成され、さらに前記第１の透光性基板の前記記録層と前記第１の半透過反射層とを有する側の面に貼り合わされた第２の透光性基板を介して第２の半透過反射層と発熱層と発色層とが形成された光情報記録媒体に表示を施す方法であって、
データ記録時にレーザ光が照射される側と同じ側から前記第２の半透過反射層を介して前記発熱層にレーザ光を照射するものである。（・・・以下、本発明の第５の課題解決手段と称する。）【００１２】  また、本発明の光情報記録媒体の表示方法の主要な形態の一つは、
（６）前記記録層へのレーザ光照射と前記発熱層へのレーザ光照射とを同時に行うものである。（・・・以下、本発明の第６の課題解決手段と称する。）【００１３】  上記第１の課題解決手段による作用は次の通りである。すなわち、第１の透光性基板の他方の面側から照射されたレーザ光のうちの一部が第２の透光性基板及び第２の半透過反射層を介して発熱層に照射され、照射された光を発熱層が吸収して発熱し、該熱により発色層に発色（変色）が生じ、レーベル面側からの可視光特性（色（色相、明度、彩度）、スペクトラム、反射率、透過光、光散乱等）が変化して描画を視認することができる。
また、描画時に照射されたレーザ光のうちの一部が前記第２の半透過反射層で反射され光記録装置に返されるので、描画時のレーザ光を安定にフォーカス制御することができる。【００１４】  また、上記第２の課題解決手段による作用は次の通りである。すなわち、前記発色層の上に透明の保護層が配設されているので、レーベル面（発色層）側からの各層の劣化等を防ぐことができるとともに、該保護層を介してレーベル面側から前記発色層に形成された描画を鮮明に視認することができる。【００１５】  また、上記第３の課題解決手段による作用は次の通りである。すなわち、前記第２の透光性基板の前記第２の半透過反射層が形成される側の面にトラッキング用の螺旋状溝が形成されているので、描画時に該螺旋状溝を位置決めの基準として、任意の位置にレーザ光を照射することができる。【００１６】  また、上記第４の課題解決手段による作用は次の通りである。すなわち、前記第２の半透過反射層と前記発熱層との間に中間層が配設されているので、発色効率が向上する。
また、前記第２の半透過反射層と前記発熱層との間に中間層が配設されているので、描画前のレーベル面の色彩色差を調整することができる。【００１７】  また、上記第５の課題解決手段による作用は次の通りである。すなわち、データ記録時にレーザ光が照射される側と同じ側から第２の透光性基板及び前記第２の半透過反射層を介して前記発熱層にレーザ光を照射するので、第１の透光性基板側から照射されたレーザ光のうちの一部が第２の透光性基板及び前記第２の半透過反射層を介して発熱層に照射され、照射された光により発熱層が発熱し、該発熱により発色層が発色（変色）して、外部から視認可能な描画が形成される。
また、描画時に照射されたレーザ光のうちの一部が前記第２の半透過反射層で反射され、光記録装置に一定の反射光が返されるので、描画時のレーザ光を安定にフォーカス制御することができる。【００１８】  また、上記第６の課題解決手段による作用は次の通りである。すなわち、前記記録層へのレーザ光照射と前記発熱層へのレーザ光照射とを同時に行っても、第２の透光性基板によりデータ記録部の記録層と描画記録部の発熱層との距離が確保されて、照射される各々のレーザ光を独立して良好に集光させることができる。
また、前記記録層へのレーザ光照射と前記発熱層へのレーザ光照射とを同時に行っても、第２の透光性基板によりデータ記録部の記録層と描画記録部の発熱層との距離が確保されているので、レーザ光照射によりデータ記録部の記録層および描画記録部の発熱層それぞれで発せられる熱の影響を分離することができ、各々の層に独立して記録することができる。
【発明の効果】
【００１９】  本発明の光情報記録媒体によれば、データを記録する領域を制限することなく、かつ光情報記録媒体を反転させることなくレーベル面側から視認可能な描画を行うことができる。
また、本発明の光情報記録媒体の表示方法によれば、光情報記録媒体を反転させることなくレーベル面側から視認可能な描画を行うことができる。また、描画時に照射されたレーザ光のうちの一部が前記第２の半透過反射層で反射され光記録装置に返されるので、描画時のレーザ光を安定にフォーカス制御することができる。
本発明の前記目的とそれ以外の目的、構成特徴、作用効果は、以下の説明と添付図面によって明らかとなろう。
【発明を実施するための最良の形態】
【００２０】  以下、本発明の光情報記録媒体の第１の実施形態について、図１を参照して説明する。図１は第１の実施形態の光情報記録媒体２０の内部構造を示す部分拡大断面図である。【００２１】  図１に示すように、本実施形態の光情報記録媒体２０は、データ記録部Ａと描画記録部Ｂとが接着剤層２１により貼り合わされた構造を有する。【００２２】  具体的には、第１の透光性基板１１の一方の面上に記録層１２と第１の半透過反射層１３とを有し、前記基板１１の他方の面側から前記記録層１２にレーザ光を照射することにより情報を記録可能な光情報記録媒体２０であって、前記第１の透光性基板１１の前記記録層１２と前記第１の半透過反射層１３とを有する側の面に貼り合わされた第２の透光性基板１４と、該第２の透光性基板１４上に形成された第２の半透過反射層１５と、該第２の半透過反射層１５上に形成された発熱層１７と、該発熱層１７上に形成された発色層１８と、を有する。【００２３】  また、本実施形態は、前記発色層１８の上に透明の保護層１９が配設されている。【００２４】  また、本実施形態は、前記第２の透光性基板１４の前記第２の半透過反射層１５が形成される側の面にトラッキング用の螺旋状溝２３が形成されている。このため、第２の透光性基板１４上に形成された第２の半透過反射層１５は、前記第２の透光性基板１４のトラッキング用の螺旋状溝２３が形成された面に沿ってほぼ均一な厚みに形成されており、前記第２の半透過反射層１５上に形成された発熱層１７が前記第２の半透過反射層１５の表面の前記トラッキング用螺旋状溝に沿った窪みを埋めるように形成されている。そして、前記発熱層１７上に形成された発色層１８と、該発色層１８上に形成された透明な保護層１９はいずれも平坦でそれぞれほぼ均一な厚みに形成されている。【００２５】  また本実施形態の光情報記録媒体２０は、前記第２の透光性基板１４上に第２の半透過反射層１５、発熱層１７、発色層１８、透明な保護層１９があること以外は通常のＤＶＤ−Ｒ光ディスクとほぼ同様の構造である。レーベル面側からは透明な保護層１９を通して発色層１８を望むことができる。【００２６】  上記第１の透光性基板１１としては、ポリカーボネート、アクリル樹脂等の透明樹脂で構成されており、射出成形等の方法で所定形状（光ディスクならドーナツ形状）の基板に成形されたものである。また、これに限らず、紫外線硬化樹脂を用いることもできる。【００２７】  上記記録層１２としては、有機色素を含むものであり、所定の波長のレーザ光の照射によりピットが形成されデータが記録される。前記有機色素としてはフタロシアニン、シアニン、アゾ系色素が好ましい。該記録層１２には、発熱層１７を発熱させるレーザ光と同じかまたは異なる波長のレーザ光の照射により音楽や画像、コンピュータプログラム等のデータ情報を記録及び／又は再生することができる。【００２８】  上記第１の半透過反射層１３としては、データの記録および／または再生用のレーザ光を反射し、描画の記録用のレーザ光を通過させるものであり、金属（例えばＡｇ，Ａｇ合金、Ａｌ等）膜もしくは屈折率の異なる酸化膜を積層させた誘電体多層膜が用いられる。ＤＶＤのデータ記録用レーザ光の反射率および描画記録用レーザ光の透過率をより高めるため、金属膜の材質や厚みを制御した誘電体多層膜を適宜選択して用いることが好ましい。また、上記第１の半透過反射層１３と上記記録層１２は、ＤＶＤ＋ＲのＤｕａｌ規格におけるＬＯ層に相当する構成で実現することもできる。【００２９】  上記接着剤層２１としては、エポキシ系接着剤等が好ましい。【００３０】  上記第２の透光性基板１４としては、前記第１の透光性基板１１と同じ材質を用いることができる。これによりＤＶＤ−Ｒの貼り合わせ工程を流用して第１の透光性基板１１上に作成したデータ記録部Ａと第２の透光性基板１４上に形成した描画記録部Ｂとを一体化できる。
また第２の透光性基板１４は、データ記録部Ａの記録層１２と描画記録部Ｂの発熱層１７との距離を確保する役割を果たす。このため、例えば該第２の透光性基板１４の厚みは、レーザ光入射面である第１の透光性基板１１から保護層１９までの距離がＣＤ−Ｒ規格相当になるように調整することにより、データ記録部Ａの記録層１２および描画記録部Ｂの発熱層１７に照射される各々のレーザ光が独立して良好に集光できる。また、レーザ光照射によりデータ記録部Ａの記録層１２および描画記録部Ｂの発熱層１７のそれぞれで発せられる熱の影響を分離することができる。【００３１】  上記第２の半透過反射層１５は、この層に照射されたレーザ光のうち一部を反射して光記録装置に返すことにより、安定なフォーカス制御を可能にする。また、該第２の半透過反射層１５は、この層に照射されたレーザ光のうち一部を透過させて、透過光の全てを発熱層１７に到達させることができる。該第２の半透過反射層１５としては、上記第１の半透過反射層１３と同様、金属（例えばＡｇ，Ａｇ合金、Ａｌ等）膜もしくは屈折率の異なる酸化膜を積層させた誘電体多層膜が用いられる。該第２の半透過反射層１５は、反射光量は前記第２の半透過反射層を構成している材料と膜厚で調整できるため、安定した反射光供給が容易である。【００３２】  上記発熱層１７としては、この層に照射されたレーザ光の波長を自身の光吸収波長域に含み、効率良く熱に変換する有機色素を含む層や無機相変化材料等で構成される。上記有機色素としては、上記記録層１２と同様にフタロシアニン、シアニン、アゾ系色素が好適であるが、光吸収特性が上記記録層１２とは異なるものを用いるのが好ましい。照射された光のうち前記第２の半透過反射層１５の透過光が該発熱層１７に吸収されるため、照射されたレーザ光の波長に吸収域を有する色素または照射されたレーザ光の波長に吸収域を有さない色素など、全て使用可能となる。
また、上記発熱層１７としては、照射されたレーザ光および可視光の一部を吸収し分解を伴いながら熱を発する特性を有するものを用いることができる。
また、上記発熱層１７としては、レーザ光照射により発した熱を接触している発色層１８に直接拡散するものを用いることができる。【００３３】  上記発色層１８としては、加熱またはレーザ光照射によって色が変化する材料で構成され、感熱剤や有機色素を含む層や無機相変化材料等を用いることができる。該発色層１８には、前記記録層１２にデータ記録される音楽情報、画像情報、プログラム等に対応するタイトルやインデックス等を視認可能な描画情報として記録することができる。
該発色層１８は、発色効率を向上させる目的で、異なる分子構造を有する材料、例えば発色前駆層と顕色層とがランダムに混合した単層構造、あるいは異なる分子構造を有する材料、例えば発色前駆層と顕色層とを相互に分離した多層構造とすることができる。
また、前記発色前駆層は発色前駆剤および該発色前駆剤を分散させる機能を有する増感剤により構成され、分散剤として結着剤を含有するものが好ましい。
また、前記顕色層は顕色剤を分散させる機能を有する増感剤により構成され、分散剤として結着剤を含有するものが好ましい。【００３４】  上記保護層１９としては、アクリル系紫外線硬化樹脂や溶剤可溶型高分子樹脂等の透明樹脂で構成され、発色層１８を有するレーベル面側の劣化等を防ぐ。【００３５】  次に、本発明の光情報記録媒体の表示方法の第１の実施形態について図１を用いて説明する。図１は第１の実施形態の光情報記録媒体の表示方法を説明するための部分拡大断面図である。【００３６】  図１に示すように、本実施形態の光情報記録媒体２０は、データ記録部Ａと描画記録部Ｂとが接着剤層２１により貼り合わされた構造を有するので、描画記録用レーザ光がデータ記録用レーザ光と同じ第１の透光性基板１１の他方の面側から照射される。描画記録用レーザ光は第１の透光性基板１１、記録層１２、第１の半透過反射層１３、接着剤層２１、第２の透光性基板１４、第２の半透過反射層１５を通過して発熱層１７で吸収される。そして発熱層１７で発生した熱及び前記発色層１８に照射されたレーザ光により該発色層１８に発色もしくは変色が生じ、透明な保護層１９を通してレーベル面側から視認可能な描画として記録される。
データ記録部Ａの記録層１２に照射されるデータ記録用レーザ光と描画記録部Ｂの発熱層１７に照射される描画記録用レーザ光は、焦点距離が異なるので、同じ波長のレーザ光を用いても、光記録装置の焦点制御によって  互いに干渉しないようにすることができる。また、データ記録部Ａの記録層１２に照射されるデータ記録用レーザ光と描画記録部Ｂの発熱層１７に照射される描画記録用レーザ光の光吸収特性（吸光度）を異ならせても良い。具体的には、前記吸光度のピーク差が７５ｎｍ、好ましくは１００ｎｍ、より好ましくは１２５ｎｍとしても良い。例えば、ＤＶＤであれば、記録用のレーザ光の波長は一般的に６６０ｎｍ前後であるから、描画記録用のレーザ光の波長は７８５ｎｍのものが使用可能である。【００３７】  また、ＤＶＤ±ＲとＣＤ−Ｒとの両方に記録できる光記録装置、所謂マルチドライブでは、ＤＶＤ±Ｒ用のレーザ光源とＣＤ−Ｒ用のレーザ光源との両方の光源を具備したものがある。このようなマルチドライブを用いる場合、両方の光源を利用することによりデータ記録部Ａの記録層１２へのデータ記録と同時に描画記録部Ｂの発熱層１７へのレーザ照射が可能になる。このようなことは、図示省略した光記録装置を制御するソフトウェアによって実施することが可能となる。【００３８】  次に、本発明の光情報記録媒体の第２の実施形態について、図２を参照して説明する。図２は第２の実施形態の光情報記録媒体４０の内部構造を示す部分拡大断面図である。【００３９】  図２に示すように、本実施形態の光情報記録媒体４０は、データ記録部Ａと描画記録部Ｂとが接着剤層４１により貼り合わされた構造を有する点で、先の第１の実施形態と同様である。
具体的には、第１の透光性基板３１の一方の面上に記録層３２と第１の半透過反射層３３とを有し、前記基板３１の他方の面側から前記記録層３２にレーザ光を照射することにより情報を記録可能な光情報記録媒体４０であって、前記第１の透光性基板３１の前記記録層３２と前記第１の半透過反射層３３とを有する側の面に貼り合わされた第２の透光性基板３４と、該第２の透光性基板３４上に形成された第２の半透過反射層３５と、該第２の半透過反射層３５上に形成された中間層３６と、該中間層３６上に形成された発熱層３７と、該発熱層３７上に形成された発色層３８と、を有する。【００４０】  また、本実施形態は、前記発色層３８の上に透明の保護層３９が配設されている。【００４１】  また、本実施形態は、前記第２の透光性基板３４の前記第２の半透過反射層３５が形成される側の面にトラッキング用の螺旋状溝４３が形成されている。このため、第２の透光性基板３４上に形成された第２の半透過反射層３５は、前記第２の透光性基板３４のトラッキング用の螺旋状溝４３が形成された面に沿ってほぼ均一な厚みに形成されている。【００４２】  本実施形態においては、前記第２の半透過反射層３５と前記発熱層３７との間に中間層３６が配設されている点で、先の第１の実施形態と異なる。このため、前記第２の半透過反射層３５上に形成された中間層３６が前記第２の半透過反射層３５の表面の前記トラッキング用螺旋状溝４３に沿った窪みを埋めるように形成されている。そして、前記中間層３６  上に形成された発熱層３７と、該発熱層３７上に形成された発色層３８と、該発色層３８上に形成された透明な保護層３９はいずれも平坦でそれぞれ均一な厚みに形成されている。その他の構成および作用効果は前記第１の実施形態と同様であるため省略する。【００４３】  上記中間層３６としては、アクリル系樹脂、ポリスチレン系樹脂、ビニルトルエン系樹脂、ロジンエステル系樹脂、エポキシ系樹脂、無機透明薄膜等が好ましい。該中間層３６は、記録された描画をレーベル面側から視認する際のコントラストの変調や多色化などにも適用できる。また、描画前の色彩色差を調整するため、顔料等を添加することができる。
また上記中間層３６は、該中間層３６の熱伝導率が前記発色層（変色層）３８の熱伝導率よりも小さい特性を有するものを用いることが好ましい。これにより、発熱層３７で発生した熱が効率的に発色層（変色層）３８に拡散される。【００４４】  次に、本発明の光情報記録媒体の第３の実施形態について、図３を参照して説明する。図３は第３の実施形態の光情報記録媒体６０の内部構造を示す部分拡大断面図である。【００４５】  図３に示すように、本実施形態の光情報記録媒体６０は、データ記録部Ａと描画記録部Ｂとが接着剤層６１により貼り合わされた構造を有する点で、先の第１、第２の実施形態と同様である。【００４６】  具体的には、第１の透光性基板５１の一方の面上に記録層５２と第１の半透過反射層５３とを有し、前記基板５１の他方の面側からレーザ光を照射することにより情報を記録可能な光情報記録媒体６０であって、前記第１の透光性基板５１の前記記録層５２と前記第１の半透過反射層５３とを有する側の面に貼り合わされた第２の透光性基板５４と、該第２の透光性基板５４上に形成された第２の半透過反射層５５と、該第２の半透過反射層５５上に形成された中間層５６と、該中間層３６上に形成された発熱層５７と、該発熱層５７上に形成された発色層５８と、を有する。【００４７】  また本実施形態は、前記発色層５８の上に透明の保護層５９が配設されている。【００４８】  また本実施形態は、前記第２の半透過反射層５５と前記発熱層５７との間に中間層５６が配設されている点は、先の第２の実施形態と同様である。
本実施形態においては、前記第２の透光性基板５４の前記第２の半透過反射層５５が形成される側の面にトラッキング用の螺旋状溝を有さない点で先の第１、第２の実施形態と異なる。このため、第２の透光性基板５４上に形成された第２の半透過反射層５５と、該第２の半透過反射層５５上に形成された中間層５６と、該中間層５６上に形成された発熱層５７と、該発熱層５７上に形成された発色層５８と、該発色層５８上に形成された透明な保護層５９はいずれも平坦でそれぞれ均一な厚みに形成されている。（このため・・・・・することができる。）その他の構成および作用効果は前記第１の実施形態と同様であるため省略する。【００４９】  尚、上記実施形態では、ＤＶＤ±Ｒディスク構造の光情報記録媒体を示したが、本発明はこれに限定するものではなく、ＣＤ−ＲやＨＤ−ＤＶＤ、ブルーレイディスクその他各種の光情報記録媒体に適用することができる。
【図面の簡単な説明】
【００５０】
【図１】本発明の光情報記録媒体の第１の実施形態の内部構造を示す部分拡大断面図である。
【図２】本発明の光情報記録媒体の第２の実施形態の内部構造を示す部分拡大断面図である。
【図３】本発明の光情報記録媒体の第３の実施形態の内部構造を示す部分拡大断面図である。
【図４】背景技術の一例を示す部分拡大断面図である。
【符号の説明】
【００５１】１１：第１の透光性基板
１２：記録層
１３：第１の半透過反射層
１４：第２の透光性基板
１５：第２の半透過反射層
１７：発熱層
１８：発色層
１９：保護層
２０：光情報記録媒体
２１：接着剤層
２２：螺旋状溝
２３：螺旋状溝
３１：第１の透光性基板
３２：記録層
３３：第１の半透過反射層
３４：第２の透光性基板
３５：第２の半透過反射層
３６：中間層
３７：発熱層
３８：発色層
３９：保護層
４０：光情報記録媒体
４１：接着剤層
４２：螺旋状溝
４３：螺旋状溝
５１：第１の透光性基板
５２：記録層
５３：第１の半透過反射層
５４：第２の透光性基板
５５：第２の半透過反射層
５６：中間層
５７：発熱層
５８：発色層
５９：保護層
６０：光情報記録媒体
６１：接着剤層
６２：螺旋状溝
Ａ：データ記録部
Ｂ：描画記録部
【図１】
2007335059.tif 000003
【図２】
2007335059.tif 000004
【図３】
2007335059.tif 000005
【図４】
2007335059.tif 000006